(57)【特許請求の範囲】
【請求項１】
閉鎖状態にある錠がかかった扉の開扉アシスト装置において、
前記扉または壁面に形成された避圧口に設けられていて内外の圧力差で発電する発電機と、
該発電機の発電力により駆動する駆動手段と、
該駆動手段の駆動力に基づいて前記扉に開扉方向の力を付与する開扉アシスト機構とを備え、
室内の圧力が大気圧を超える高圧になると、室の内外の圧力差により前記発電機で発電して駆動手段によって前記開扉アシスト機構を作動させて扉の開放動作をアシストするようにしたことを特徴とする開扉アシスト装置。
【請求項２】
閉鎖状態にある錠がかかった扉の開扉アシスト装置において、
前記扉または壁面に形成した避圧口に設けたファンと、
該ファンの回転力により発電する発電機と、
該発電機に電気的に接続されていてその発電力により駆動する駆動モータと、
該駆動モータの駆動力に基づいて前記扉に開扉方向の力を付与する開扉アシスト機構とを備え、
室内の圧力が大気圧を超える高圧になると、室の内外の圧力差により前記ファンが回転することで発電機で発電して駆動モータに伝達して開扉アシスト機構によって扉の開放動作をアシストするようにしたことを特徴とする開扉アシスト装置。
【請求項３】
前記駆動モータには電力を蓄えるバッテリーが並列に接続されており、前記扉に設けた電気錠またはラッチ錠を開放作動する際に、前記バッテリーで蓄電された電力を駆動モータに放電するようにした請求項２に記載された開扉アシスト装置。
【請求項４】
前記開扉アシスト機構は、前記壁面または扉に設けた基軸に回動可能に設けた作動軸と、該作動軸に設けたラックと、前記扉または壁面に設けた前記駆動モータの回転力を前記ラックに伝達して作動軸に引張力を付与するピニオンとを備え、
前記駆動モータの回転力によって相対的に作動軸を引っ張ることで扉の開放方向の力を付与するようにした請求項２または３に記載された開扉アシスト装置。
【請求項５】
前記開扉アシスト機構は、前記扉の閉鎖速度を調整するドアチェックと、該ドアチェックの作動軸に設けたラックと、前記扉に設けた前記駆動モータの回転力を前記ラックに伝達して作動軸に引張力を付与するピニオンとを備え、
前記駆動モータの回転力によって相対的に前記ドアチェックの作動軸を引っ張ることで扉の開放方向の力を付与するようにした請求項２または３に記載された開扉アシスト装置。
【請求項６】
前記扉同士の合わせ目または扉と壁面の合わせ目の一方には進退可能なラッチが設けられ、他方にはラッチを係合させるストライクが設けられていることを特徴とする請求項１乃至５のいずれかに記載された開扉アシスト装置。
【発明の詳細な説明】
【技術分野】
【０００１】
本発明は、室内にガスを供給する等して高圧になった際に扉の開放をアシストするようにした開扉アシスト装置に関する。
【背景技術】
【０００２】
従来、大型コンピュータやサーバ等の精密機器や半導体製造装置等を備えたクリーンルーム等では、室内に火災等が発生した場合、精密機器等を保護するために迅速に消火を行う消火システムが備えられている。消火の際、水や化学消火剤で消火すると機器に損傷を生じたり故障や誤作動したりするため、消火剤として一般に消火ガスが用いられている。
例えば特許文献１に記載された消火システムでは、窒素ガス、二酸化炭素ガス、ハロゲンガス等の不活性ガスや不燃性ガスからなる消火ガスを室内に噴射して充満させるガス消火設備が用いられている。
このようなガス消火設備は、大型コンピュータ等の精密機器類等が設置された室内での消火に有効である。このガス消火設備においては、短時間のうちに大量の消火ガスを対象室内に充満させることができるように、室内に開口するノズルから高圧の消火ガスを高速で噴出させている。
【０００３】
この場合、従来のガス消火システムでは、迅速な消火のために短時間で大量の消火ガスを室内に充満させるため、室内が短時間で高圧になる。そのため、室内に出入りするための扉に高圧がかかる。
一方、精密機器類等を設置した部屋に設けた開閉扉には、例えばラッチ錠が設けられている。ラッチ錠は一方の扉または壁部に設けたストライクに他方の扉に設けたラッチボルトが係合している。
【先行技術文献】
【特許文献】
【０００４】
【特許文献１】特開２０００−６０９８４号公報
【発明の概要】
【発明が解決しようとする課題】
【０００５】
しかしながら、消火ガスの噴出によって部屋内にガスが充満して高圧になると、例えば図７に示すように、部屋５の防火扉１がガス圧で押されて開扉方向に圧力を受けて扉２，３が湾曲変形し、これによってラッチ４がストライクと係合状態で変形することがあった。また、そのほかに蝶番、順位調整器、ドアチェック、建具枠等も変形して故障したり引っかかりを生じたりすることがあった。
特に、扉の開閉部に設けたラッチ錠のラッチボルトがストライクに係合した状態でガス圧によって咬み合いやロックを生じたりするため、緊急時に作業者がレバーやノブを回転させて扉を開こうとしても扉が容易に開かない可能性があった。
【０００６】
本発明は、このような実情に鑑みて、消火ガスの噴出等によって室内が高圧になっても、確実に扉が開くようにした開扉アシスト装置を提供することを目的とする。
【課題を解決するための手段】
【０００７】
本発明による開扉アシスト装置は、閉鎖状態にある錠がかかった扉の開扉アシスト装置において、
扉または壁面に形成された避圧口に設けられていて内外の圧力差で発電する発電機と、
該発電機の発電力により駆動する駆動手段と、該駆動手段の駆動力に基づいて扉に開扉方向の力を付与する開扉アシスト機構とを備え、室内の圧力が大気圧を超える高圧になると、室の内外の圧力差により前記発電機で発電して駆動手段によって開扉アシスト機構を作動させて扉の開放動作をアシストするようにしたことを特徴とする。
本発明による開扉アシスト装置によれば、部屋内の圧力が増大して部屋内外の圧力差が生じると、その圧力差に基づいて避圧口に設けた発電機で電力が発電され、この電力が供給された駆動手段の駆動によって開扉アシスト機構が作動させられ、開扉アシスト機構によって開扉力を付与して扉の開放動作を補助し、例えば錠が咬み合っていても強制的に扉を開放させる。
【０００８】
本発明による開扉アシスト装置は、閉鎖状態にある錠がかかった扉の開扉アシスト装置において、扉または壁面に形成した避圧口に設けたファンと、ファンの回転力により発電する発電機と、発電機に電気的に接続されていてその発電力により駆動する駆動モータと、駆動モータの駆動力に基づいて扉に開扉方向の力を付与する開扉アシスト機構とを備え、室内の圧力が大気圧を超える高圧になると、室の内外の圧力差によりファンが回転することによって発電機で発電して駆動モータに伝達して開扉アシスト機構によって扉の開放動作をアシストするようにしたことを特徴とする。
本発明による開扉アシスト装置によれば、部屋内の圧力が増大して室内外の圧力差が生じると、その圧力差に基づいて避圧口に設けたファンが回転して発電機で電力が発電し、この電力が供給された駆動モータの駆動によって開扉アシスト機構が作動させられる。そのため、開扉アシスト機構の作動力が扉の開放動作を補助し、例えば錠のラッチとストライクが咬み合っていても強制的に扉を開放させる。
【０００９】
また、駆動モータには電力を蓄えるバッテリーが並列に接続されており、扉に設けた電気錠またはラッチ錠を開放作動する際に、バッテリーで蓄電された電力を駆動モータに放電するようにしてもよい。
内外の圧力差に基づいて発電機で発電して駆動モータに供給しても、駆動モータによる開扉アシスト機構の作動と作業者等による扉の開放作動のタイミングが一致しないと駆動モータによる補助力を扉の開放に十分付与できないが、この場合には、駆動モータに接続されたバッテリーに蓄電させることができる。そして、開扉の動作がなされた際にバッテリーの電力を放電して駆動モータによって開扉アシスト機構を作動させるから、開扉の補助力をアシストとして加えることができ、例えば錠のラッチとストライクが咬み合っていても強制的に扉を開放させる。
【００１０】
また、開扉アシスト機構は、壁面または扉に設けた基軸に回動可能に設けた作動軸と、作動軸に形成したラックと、扉または壁面に設けた駆動モータの回転力をラックに伝達して作動軸に引張力を付与するピニオンとを備え、駆動モータの回転力によって相対的に作動軸を引っ張ることで扉の開放方向の補助力を付与するようにしてもよい。
開扉アシスト機能の構成によれば、駆動モータの駆動力をピニオンからラックを介して作動軸を相対的に引っ張ることで扉に開放方向の補助力が付与される。
【００１１】
また、開扉アシスト機構は、扉の閉鎖速度を調整するドアチェックと、ドアチェックの作動軸に形成したラックと、扉に設けた駆動モータの回転力をラックに伝達して作動軸に引張力を付与するピニオンとを備え、駆動モータの回転力によって相対的にドアチェックの作動軸を引っ張ることで扉の開放方向の補助力を付与するようにしてもよい。
本発明による開扉アシスト機構によれば、駆動モータの駆動力をピニオンからラックを介してドアチェックの作動軸を相対的に引っ張ることで扉に開放方向の補助力が付与される。
【００１２】
また、扉同士を閉じた合わせ目または扉と壁面の合わせ目の一方には進退可能なラッチが設けられ、他方にはラッチを係合させるストライクが設けられていてもよい。
室内が高圧になることで扉が変形して扉を閉鎖させるラッチとストライクの間で咬み合いが生じて外れにくくなるが、本発明による開扉アシスト装置によって咬み合いによる抵抗に抗して強制的に扉を開放できる。
【発明の効果】
【００１３】
本発明による開扉アシスト装置によれば、部屋内の圧力が増大して部屋内外の圧力差に基づいて発電機で電力が発電され、この電力を用いた駆動手段により開扉アシスト機構を作動させて錠がかかった扉の開放動作を補助し、扉を開放操作する際に、強制的に扉を開放させることができる。
また、本発明による開扉アシスト装置によれば、消火ガスの噴出等によって室内が大気圧より高圧になると、避圧口に設けたファンの回転によって発電機で発電し、駆動モータを駆動し開扉アシスト機構によって、扉を開放操作する際に、錠がかかった扉に開扉方向の補助力を付与できる。
そのため、高圧雰囲気内で室の扉を開放しようとする場合に、内外の圧力差を利用して発電し開扉アシスト機構を介して扉の開放動作に補助力を与えることができる。
【図面の簡単な説明】
【００１４】
【図１】本発明の第一実施形態による開扉アシスト装置を備えた防火扉を示すもので、（ａ）は平面図、（ｂ）は正面図である。
【図２】防火扉に設けた開扉アシスト装置の要部斜視図である。
【図３】図２に示す開扉アシスト装置の要部構造を示す説明図である。
【図４】本発明の第二実施形態による開扉アシスト装置を備えた防火扉を示す正面図である。
【図５】図４に示す防火扉に設けた開扉アシスト装置の要部斜視図である。
【図６】図５に示す開扉アシスト装置の要部構造を示す説明図である。
【図７】従来の防火扉を示す平面図である。
【発明を実施するための形態】
【００１５】
以下、本発明の実施形態による防火扉に設けた開扉アシスト装置について説明する。
本実施形態による防火扉の開扉アシスト装置は、図１乃至図３に示すように、大型コンピュータやサーバ等の精密機器等を設置した部屋や、半導体製造装置を設置したクリーンルームなどの部屋５と、この部屋５の壁に開口形成された扉開口部１０を介してつながる廊下等の外部空間とを連通／区画するように開閉可能に設置されている。また、部屋５には、火災発生時に窒素ガス、二酸化炭素ガス、ハロゲンガス等の不活性ガスや不燃性ガス（消火ガス）を消火剤として高圧で噴射するガス消火システムが具備されている。
【００１６】
この部屋５には、図１に示すような防火扉２０が設けられている。防火扉２０は例えば左右の扉２１，２２を備えた観音開きとされ、左右の扉２１、２２はヒンジ２３によってそれぞれ開閉可能とされている。なお、この防火扉２０は、一方の扉２１のみを設けて他方の扉２２に代えて部屋５の壁面が形成された片開きであってもよい。
左右の扉２１、２２の互いに接合する中央側の端面２１ａ，２２ａには、シリンダー錠２６とラッチ錠２７が設けられている。シリンダー錠２６と共に、或いはシリンダー錠２６に代えて電気錠が設けられていてもよい。シリンダー錠２６は一方の扉２１に室内で用いるサムターンとデッドボルト２８が設けられ、他方の扉２２にはデッドボルト２８を受け入れてロックするストライク２９が設けられている。ラッチ錠２７は一方の扉２１に設けたラッチ３１が他方の扉２２に設けたストライク３２に係合している。
また、ラッチ錠２７にはラッチ３１をストライク３２から外すためのレバーハンドル３３が設けられているが、レバーハンドル３３に代えてドアノブを設けてもよい。各扉２１、２２のヒンジ２３側の上部には、扉２１，２２の閉鎖速度を調整するためのドアクローザ３４が設けられている。
【００１７】
次に防火扉２０の開扉アシスト装置３６について説明する。
図１、図２及び図３は本発明の第一実施形態による開扉アシスト装置３６の構成を示す図である。図１において、一方の扉２１には、例えば円形開口の避圧口３７が設けられ、この避圧口３７にはファン３８が取り付けられている。
なお、この避圧口３７にはファン３８に重ねて例えば図示しない常閉のダンパが設けられ、部屋５内の圧力が大気圧を超える高圧になった時にダンパが開口してファン３８が回転し始める。逆に部屋５内の圧力が大気圧またはその近くの圧に低下した時にはダンパが閉鎖される。なお、この避圧口３７を設けた場合、上述した避圧口１８を設けなくてもよい。
【００１８】
図２及び図３において、避圧口３７のファン３８の回転軸３９は発電機（ジェネレータ）４０に連結されており、ファン３８が回転すると回転軸３９が回転することに基づいて発電機４０によって発電する。発電機４０で発電された電力は配線４２を経由して扉２１に設けた駆動モータＭに給電される。
駆動モータＭは扉２１の部屋５内とは反対側の外面に取り付けられ、駆動ケース４４内に収容されている。駆動ケース４４に隣接する躯体の壁面４１には開扉アシスト機構４５が取り付けられている。
開扉アシスト機構４５は、基軸４６と作動軸４７とで形成され、基軸４６は壁面４１に固定され、基軸４６の先端に作動軸４７がピン等によって回動可能に取り付けられている。この作動軸４７の他端側は駆動ケース４４に設けた長穴４８内に進入して配設されていると共に、この作動軸４７には長手方向に沿ってラック５０が形成されている（図３参照）。
【００１９】
一方、駆動モータＭには図示しない減速機構を介して若しくは直接出力軸５１が設けられ、この出力軸５１には作動軸４７のラック５０に噛合するピニオン５２が固着されている。なお、作動軸４７にはラック５０をピニオン５２に押し付けるコイルバネ等の弾性部材を取り付けてもよい。そのため、駆動モータＭが図３で反時計方向に回転すると駆動モータＭの駆動力によって作動軸４７が相対的に引っ張られ、その反力により扉２１がヒンジ２３回りに回動して開放させられる方向に補助力が付与されることになる。
そのため、部屋５内が消火ガスのガス圧によって高圧になり、避圧口３７のファン３８によって発電されて駆動モータＭにより扉２１に開扉方向の補助力が付与される。そして、作業者が扉２１のレバーハンドル３３またはノブを回動させると、扉２１には開扉方向の力が付与されているから、扉２１の開放動作が容易になる。
【００２０】
なお、開扉アシスト装置３６において、発電機４０による発電に対して、作業者によるレバーハンドル３３またはノブの回動操作が遅れることがある。このような場合でも開扉のアシストをするために、図２において、発電機４０の配線４２には、駆動モータＭと並列にバッテリー５４が配設されている。これらバッテリー５４及び駆動モータＭを並列に接続した配線４２の一方の端部は発電機４０に接続され、他方の端部は接地されている。
そのため、ファン３８が回転すると回転軸３９の回転によって発電機４０で発電し、発電機４０で発電された電力は配線４２を経由して扉２１の外側（部屋５とは反対側）に設けられたバッテリー５４に蓄電される。
【００２１】
本実施形態による開扉アシスト装置３６は上述の構成を備えており、次にその作用を説明する。
図２において、図示しない電気錠やシリンダー錠２６が開錠されており、防火扉２０の扉２１，２２のラッチ錠２７が閉鎖された状態にあるものとする。
そして、例えば部屋５内で火事が起こり、図示しない火災報知器等のセンサーでこれを検知すると、消火ガス供給機構４によりノズル１２から消火ガスが部屋５内に放出される。
部屋５内に消火ガスが充満して部屋５内のガス圧が大気圧を超えた高圧になると、避圧口３７のダンパが開口され、消火ガス圧が部屋５内から避圧口３７を通して外部に流出する。
すると、図２において、消火ガス流によりファン３８が回転し、回転軸３９が一体回転することで発電機４０によって発電される。発電機４０で発電された電力は配線４２を介して駆動モータＭに供給され、出力軸５１及びピニオン５２を反時計回りに回転させることで、作動軸４７のラック５０と噛合して作動軸４７を引っ張る方向に荷重が働く（図３参照）。
【００２２】
このとき、レバーハンドル３３またはノブを回動せず、ラッチ錠２７のラッチ３１がストライク３２に係合した状態であれば、発電機４０による発電と開扉のタイミングが重ならないため、扉２１に駆動モータＭの荷重が印加されても開扉しない。そのため、配線４２が並列に接続されたバッテリー５４に電力が入力されて蓄電される。
そして、部屋５内がノズル１２から供給されるガスによって高圧ガス状態になると、扉２１、２２が圧力で押されて中央部を中心に変形し始める。この状態で、作業者が高圧ガス状態の部屋５内から出るためにレバーハンドル３３またはノブを回動させると、ストライク３２内にラッチ３１が進出して咬み合っているために、回転抵抗によってレバーハンドル３３またはノブが回動し難い。
【００２３】
しかし、この場合でも、避圧口３７を流出するガス流によるファン３８の回転によって発電機４０で発電され、駆動モータＭの回転力によってラック５０とピニオン５１の噛合により扉２１を開放する方向に力が働いている。そのため、開放方向の荷重を受けた扉２１はラッチ３１とストライク３２の咬み合いによる扉開放抵抗に打ち勝ってラッチ３１とストライク３２の咬み合いが外れ、強制的に開扉できる。
しかも、レバーハンドル３３またはノブの回動作動に加えられる駆動モータＭによる扉２１の開放作動によって電力が消費されると、バッテリー５４に蓄電された電力が駆動モータＭに放電されて駆動モータＭの駆動を促して、扉２１の開扉の補助力を一層加える。
【００２４】
これにより、ラッチ３１とストライク３２の咬み合いによる扉開放抵抗が生じていても、駆動モータＭによる駆動力とレバーハンドル３３またはノブの回動作動によって、扉開放抵抗に打ち勝ってラッチ３１とストライク３２の咬み合いが外れて、強制的に開扉できる。
扉２１の開放作動に際し、図３において、駆動モータＭのピニオン５２と作動軸４７のラック５０との噛合による引張力に起因するその反力によって、扉２１はヒンジ２３回りに開放し始め、扉２１の開放に連動して開扉アシスト機構４５の作動軸４７が基軸４６に対して回動して駆動モータＭのピニオン５２に追従する。これによって、扉２１は他方の扉２２のストライク３２からラッチ３１が強制的に外されて開き、扉２１が開放される。
【００２５】
上述のように本第一実施形態による防火扉２０の開扉アシスト装置３６によれば、消火ガスの噴出等によって室内が大気圧より高圧になって扉２１，２２が変形してラッチ錠２７のラッチ３１がストライク３２と咬み合いしても、レバーハンドル３３またはノブを回動させると共に発電機４０で発電した電力を駆動モータＭによるピニオン５２と作動軸４７のラック５０との噛合による駆動力の反力によって強制的に扉２１を開放できる。
特に、部屋５の内外の圧力差に起因するガス流によって避圧口３７のファン３８を回転させて発電機４０で発電させるから、別途の電源を設けることなく部屋５内外の圧力差を有効利用して発電して扉２１を強制的に開放できる。
また、駆動モータＭと並列にバッテリー５４を設けたから、レバーハンドル３３またはノブを回動させるタイミングと発電機４０で発電した電力を駆動モータＭに供給して扉２１を開放作動させるための補助力のタイミングとが一致しない場合でも、バッテリー５４に発電機４０で発電した電力を蓄電できるから、扉２１の開放時に放電して駆動モータＭに効率的に給電できる。
【００２６】
本発明による防火扉２０の開扉アシスト装置３６は、上述の構成に限定されることはなく、本発明の要旨を逸脱しない範囲で任意に構成の変更や置換等を行える。
次に本発明の第二実施形態による防火扉２０の開扉アシスト装置５６について図４乃至図６により説明するが、上述した第一実施形態と同一または同様の部分、部材には同一の符号を用いて説明を省略する。第二実施形態による開扉アシスト装置５６は、避圧口３７に設けたファン３８の回転による発電機４０で発電した電力を直接駆動モータＭに供給して、ドアチェック５７に扉開放用の作動力を付与するようにしたものである。
図４に示す第二実施形態による防火扉２０の開扉アシスト装置５６において、防火扉２０の例えば一方の扉２１に形成した避圧口３７にファン３８を設けており、その回転軸３９の回転によって発電機４０で発電させている。
【００２７】
一方、図５及び図６において、扉２１のドアチェック５７は、扉２１，２２の周囲を仕切る枠部５８が壁面４１の一部を構成して固定されており、この枠部５８に固定した基板５９にはドアチェック５７の基軸６０の一端が回転可能に支持されている。基軸６０の他端には作動軸６１として第一作動軸６２が回転可能に支持され、第一作動軸６２の他端には支軸６３が略垂直に連結されてドアチェック５７の駆動ケース６５内に進入している。支軸６３の他端には第二作動軸６４が回転可能に支持されており、その長手方向にはラック６６が形成されている。
また、扉２１に固定した駆動モータＭに設けた出力軸５１にはピニオン５２が固着されており、このピニオン５２に第二作動軸６４のラック６６が噛合している。そして、駆動モータＭには発電機４０で発電された電力が配線４２を介して駆動モータＭに供給されている。
【００２８】
本実施形態による開扉アシスト装置５６は上述の構成を備えているから、ノズル１２から消火ガスを噴出させることで部屋５内の圧力が大気圧を超える高圧になると、扉２１，２２がガス圧で変形することになる。
一方、部屋５内が高圧になると避圧口３７のファン３８が回転し、回転軸３９の回転によって発電機４０で発電される。発電機４０で生じた電力は駆動ケース６５内の駆動モータＭに給電されて駆動モータＭを駆動させる。すると、図６において、ピニオン５２が反時計回りに回転して第二作動軸６４のラック６６を引っ張る方向に荷重を付与する。
そのため、レバーハンドル３３またはノブを回動させると、駆動する駆動モータＭによるドアチェック５７の第二作動軸６４を引っ張る力の反力によって、扉２１がラッチ３１とストライク３２の咬み合いに打ち勝ってヒンジ２３回りに強制的に開放させられる。
【００２９】
上述のように、本第二実施形態による開扉アシスト装置５６によれば、消火ガスによって室内が大気圧より高圧になって扉２１，２２が変形しラッチ３１がストライク３２と咬み合いしても、レバーハンドル３３またはノブを回動させ、発電機４０で発電した電力を駆動モータＭによるピニオン５２と作動軸６１のラック６６との噛合による駆動力によって直接的且つ強制的に扉２１を開放できる。
特に、部屋５の内外の圧力差に起因するガス流によってファン３８を回転させて発電機４０で発電させるから、別途の電源を設けることなく部屋５内の高圧ガスを有効利用して発電して扉２１を強制的に開放できる。
【００３０】
上述の各実施形態において、大型コンピュータ等を配設した部屋５に採用した防火扉２０の開扉アシスト装置３６，５６について説明したが、本発明による開扉アシスト装置３６，５６はこのような施設３の部屋５に限定されることはなく、適宜の他の施設や部屋等の扉に適用できることはいうまでもない。例えば、半導体製造装置やその他の埃等を嫌う施設内の装置を機器２として備えたクリーンルーム等に、本発明による扉２１の開扉アシスト装置３６，５６を採用してもよい。
また、上述した各実施形態では、避圧口３７とファン３８及び発電機４０は扉２１に設けたが、この構成に限定されることなく、扉２１の近傍の壁面に設けても良いことはいうまでもない。
【００３１】
また、本発明は防火扉２０の開扉アシスト装置３６，５６に関するものであり、アシスト装置３６，５６の取付位置や扉２１，２２等の建具周辺の各種機構等は上述した各実施形態などに限定されることはなく、適宜変更可能である。本発明は、任意の構成の扉の開扉アシスト装置に採用できることはいうまでもない。
また、本発明は防火扉２０に限定されることなく、防火扉でない扉に対しても適用できることはいうまでもない。なお、作動軸４７，６１の基軸４６，６０と駆動モータＭはいずれか一方が扉に設けられ、他方が壁面に設けられていればよい。また、発電機４０を設けた避圧口３７及びファン３８は扉と壁面のいずれに設けてもよい。
【符号の説明】
【００３２】
５  部屋（室）
２０  防火扉
２１、２２  扉
２７  ラッチ錠
３１  ラッチ
３２  ストライク
３４、５７  ドアチェック
３６，５６  開扉アシスト装置
３７  避圧口
３８  ファン
４０  発電機
４５  開扉アシスト機構
４７、６１  作動軸
６４  第二作動軸
５０、６６  ラック
５２  ピニオン
５４  バッテリー
Ｍ  駆動モータ
【図１】
0005452261.tif 000002
【図２】
0005452261.tif 000003
【図３】
0005452261.tif 000004
【図４】
0005452261.tif 000005
【図５】
0005452261.tif 000006
【図６】
0005452261.tif 000007
【図７】
0005452261.tif 000008